(57)【要約】【課題】適切なユーザに管理者権限を付与する。【解決手段】画像形成装置１は、操作パネル部２で受け付けたユーザごとの操作の履歴を示す操作履歴情報を記憶部３に記憶し、操作履歴情報に基づいて各ユーザの画像形成装置１の操作に対する習熟度を示す評価値を算出し、各ユーザの評価値に基づいて、画像形成装置１の新たな管理者として管理者権限を付与するユーザを、すでに管理者権限を有する管理者に選択させるための管理者選択画面を表示／入力パネル２１に表示し、管理者選択画面から管理者の操作により選択されたユーザを新たな管理者として設定する。【選択図】図１
2011087132.tif 000002
【特許請求の範囲】
【請求項１】
ユーザによる入力操作を受け付ける操作受付部と、
前記操作受付部で受け付けたユーザごとの操作の履歴を示す操作履歴情報を記憶する操作履歴記憶部と、
前記操作履歴情報に基づいて各ユーザの本電子機器の操作に対する習熟度を示す評価値を算出する評価値算出部と、
画面表示部と、
各ユーザの評価値に基づいて、本電子機器の新たな管理者として管理者権限を付与するユーザを、すでに管理者権限を有する管理者に選択させるための管理者選択画面を前記画面表示部に表示するよう制御する表示制御部と、
前記管理者選択画面から管理者の操作により選択されたユーザを新たな管理者として設定する管理者設定部と
を備えることを特徴とする電子機器。
【請求項２】
前記操作履歴情報は、ログイン操作の成否を示すログイン成否情報、前記電子機器の使用頻度を示す使用頻度情報、および前記電子機器の各種機能操作時に各種設定を変更した回数を示す設定変更回数情報のうちの少なくとも１つを含み、
前記評価値算出部は、前記操作履歴情報に含まれる前記操作成否情報、前記使用頻度情報、前記設定変更回数情報のうちの少なくとも１つを用いて評価値を算出することを特徴とする請求項１に記載の電子機器。
【請求項３】
前記表示制御部は、各ユーザの評価値をユーザ名に対応して前記画面表示部に表示するよう制御することを特徴とする請求項１または２に記載の電子機器。
【請求項４】
各ユーザの評価値に基づいて管理者としての適性の有無をユーザごとに判断する管理者適性判断部をさらに備え、
前記表示制御部は、前記管理者適性判断部で判断した各ユーザの管理者としての適性の有無を示す情報を前記画面表示部に表示するよう制御することを特徴とする請求項１乃至３のいずれか１項に記載の電子機器。
【請求項５】
前記管理者設定部は、前記管理者適性判断部で管理者としての適性が無いと判断されたユーザは、新たな管理者に設定不可能とすることを特徴とする請求項４に記載の電子機器。
【発明の詳細な説明】
【技術分野】
【０００１】
本発明は、ユーザに管理者権限を持たせる機能を有する電子機器に関する。
【背景技術】
【０００２】
従来、プリンタ装置等の電子機器において、ユーザに管理者権限を持たせる機能を有するものが知られている。この機能は、その機器のシステムやユーザを管理するための設定を行うためのものであり、広く普及している。
【０００３】
一般に、１台の電子機器に対して複数人に管理者権限を与えることが可能であり、すでに管理者権限を有する管理者が、新たに管理者権限を与えるユーザを選択することで、新たな管理者を選定できるようになっている。
【０００４】
管理者が管理者権限で行った設定内容に誤りがあった場合、機器の運用に不都合が生じることがある。このため、管理者権限は、その機器の操作に十分に習熟しているユーザに与えられることが望ましい。
【０００５】
電子機器に対するユーザの習熟度に関する技術としては、例えば、特許文献１，２に開示されたものがある。特許文献１，２には、操作ミスの頻度等により判断したユーザの習熟度に応じた適切な操作ガイドを行うことで、ユーザの操作ミスを低減させ、ユーザの習熟度を向上させる技術が開示されている。
【先行技術文献】
【特許文献】
【０００６】
【特許文献１】特開平４−３４６１１６号公報
【特許文献２】特開昭６２−２８５１２４号公報
【発明の概要】
【発明が解決しようとする課題】
【０００７】
上記特許文献１，２のように、ユーザの電子機器の操作に対する習熟度に応じた操作ガイドを行う技術は知られている。しかし、従来、各ユーザの習熟度を考慮して管理者権限を付与するユーザを決めることができる技術はなく、管理者個人の判断により新たな管理者が選定されていた。このため、その機器の操作にあまり習熟しておらず、管理者として適切でないユーザに管理者権限が与えられることがあった。
【０００８】
本発明は上記に鑑みてなされたもので、適切なユーザに管理者権限を付与することができる電子機器を提供することを目的とする。
【課題を解決するための手段】
【０００９】
上記目的を達成するため、請求項１に係る電子機器は、ユーザによる入力操作を受け付ける操作受付部と、前記操作受付部で受け付けたユーザごとの操作の履歴を示す操作履歴情報を記憶する操作履歴記憶部と、前記操作履歴情報に基づいて各ユーザの本電子機器の操作に対する習熟度を示す評価値を算出する評価値算出部と、画面表示部と、各ユーザの評価値に基づいて、本電子機器の新たな管理者として管理者権限を付与するユーザを、すでに管理者権限を有する管理者に選択させるための管理者選択画面を前記画面表示部に表示するよう制御する表示制御部と、前記管理者選択画面から管理者の操作により選択されたユーザを新たな管理者として設定する管理者設定部とを備えることを特徴とする。
【００１０】
請求項２に係る電子機器は、請求項１に記載の電子機器において、前記操作履歴情報は、ログイン操作の成否を示すログイン成否情報、前記電子機器の使用頻度を示す使用頻度情報、および前記電子機器の各種機能操作時に各種設定を変更した回数を示す設定変更回数情報のうちの少なくとも１つを含み、前記評価値算出部は、前記操作履歴情報に含まれる前記操作成否情報、前記使用頻度情報、前記設定変更回数情報のうちの少なくとも１つを用いて評価値を算出することを特徴とする。
【００１１】
請求項３に係る電子機器は、請求項１または２に記載の電子機器において、前記表示制御部は、各ユーザの評価値をユーザ名に対応して前記画面表示部に表示するよう制御することを特徴とする。
【００１２】
請求項４に係る電子機器は、請求項１乃至３のいずれか１項に記載の電子機器において、各ユーザの評価値に基づいて管理者としての適性の有無をユーザごとに判断する管理者適性判断部をさらに備え、前記表示制御部は、前記管理者適性判断部で判断した各ユーザの管理者としての適性の有無を示す情報を前記画面表示部に表示するよう制御することを特徴とする。
【００１３】
請求項５に係る電子機器は、請求項４に記載の電子機器において、前記管理者設定部は、前記管理者適性判断部で管理者としての適性が無いと判断されたユーザは、新たな管理者に設定不可能とすることを特徴とする。
【発明の効果】
【００１４】
本発明の電子機器によれば、適切なユーザに管理者権限を付与することができる。
【図面の簡単な説明】
【００１５】
【図１】本発明の実施の形態に係る電子機器である画像形成装置の構成を示すブロック図である。
【図２】図１に示す画像形成装置の記憶部に記憶される操作履歴情報の内容を示す図である。
【図３】管理者設定画面の一例を示す図である。
【図４】管理者権限付与画面の一例を示す図である。
【図５】ユーザ設定画面の一例を示す図である。
【図６】ユーザ設定変更画面の一例を示す図である。
【発明を実施するための形態】
【００１６】
以下、本発明の実施の形態について、図面を参照して説明する。
【００１７】
本発明の実施の形態に係る電子機器として、コピー機能、プリンタ機能等を有する画像形成装置を例に説明する。
【００１８】
図１は、本発明の実施の形態に係る画像形成装置の構成を示すブロック図である。図１に示すように画像形成装置１は、操作パネル部２と、記憶部３と、計時部４と、画像読取部５と、プリント部６と、制御部７とを備える。画像形成装置１は、ユーザに管理者権限を持たせる機能を有する。
【００１９】
操作パネル部２は、表示／入力パネル２１と、各種操作キー（図示せず）とを備え、ユーザの入力操作を受け付け、操作に基づく操作信号を出力する。
【００２０】
表示／入力パネル２１は、前面に配置された感圧式あるいは静電式の透明なタッチパネル（図示せず）と、このタッチパネルの裏面に配置された液晶表示パネル（図示せず）とを有し、操作受付部としての機能と画面表示部としての機能とを併せ持つ。ユーザは、液晶表示パネルの表示画面を見ながら、タッチパネルの表面を指などで直接触れることで入力操作を行うことができる。
【００２１】
記憶部３は、ハードディスク等の不揮発性の記憶媒体を有し、各ユーザの過去の操作の履歴を示す操作履歴情報を、各ユーザのユーザ名情報等の識別情報と対応させて記憶する。また、記憶部３は、管理者権限を有するユーザのリストである管理者リストを記憶する。
【００２２】
計時部４は、時刻を計時し、現在の日時を示す時刻情報を出力する。
【００２３】
画像読取部５は、ＣＣＤ（Charge Coupled Device）イメージセンサを有し、原稿を光学的に読み取り、読み取った原稿の画像データを出力する。
【００２４】
プリント部６は、インクジェット方式等の印刷機構を有し、画像読取部５で読み取った原稿の画像データや、外部から取得した画像データに基づいて、用紙等の印刷媒体に画像を形成する。
【００２５】
制御部７は、ＣＰＵ（Central Processing Unit）、ＣＰＵの制御プログラム等を格納するメモリ等を有し、画像形成装置１全体の動作を制御するものである。制御内容として、例えば、制御部７は、画像読取部５で読み取った原稿の画像データに基づいてプリントを行うようにプリント部６を制御する。
【００２６】
また、制御部７は、記憶部３に記憶された操作履歴情報に基づいて各ユーザの画像形成装置１の操作に対する習熟度を示す評価値を算出する評価値算出部７１としての機能と、評価値算出部７１で算出した各ユーザの評価値に基づいて管理者としての適性の有無をユーザごとに判断する管理者適性判断部７２としての機能と、後述の管理者権限付与画面４０から管理者の操作により選択されたユーザを新たな管理者として設定する管理者設定部７３としての機能と、表示／入力パネル２１の表示を制御する表示制御部７４としての機能とを有する。
【００２７】
図２は、記憶部３に記憶される操作履歴情報の内容を示す図である。図２に示すように、操作履歴情報は、画像形成装置１に対してユーザが行ったログイン操作、プリント操作、設定変更操作に関する操作情報を含む。図２は、ユーザ名が「ユーザＡ」であるユーザの操作履歴情報を示しており、各ユーザについて同様の内容が記憶部３に記憶されている。
【００２８】
ログイン操作に関する操作情報としては、ユーザが画像形成装置１に対してログインするための操作を開始した日時を示す操作日時情報と、ログイン操作に成功したか否かを示すログイン成否情報とが含まれる。
【００２９】
プリント操作に関する操作情報としては、ユーザが画像形成装置１のコピー機能でプリントするための操作を行った際の操作日時情報と、その際のプリント枚数を示すプリント枚数情報が含まれる。
【００３０】
設定変更操作に関する操作情報としては、ユーザが画像形成装置１の各種機能の使用時に、デフォルトの設定から変更する操作を行った際の操作日時情報と、その際の設定変更回数を示す設定変更回数情報が含まれる。
【００３１】
次に、画像形成装置１の動作について説明する。
【００３２】
画像形成装置１を使用しようとするユーザは、操作パネル部２からユーザ名（またはユーザＩＤ等）、およびユーザ固有のパスワードを入力してログインを行う。
【００３３】
パスワードの入力操作が行われると、制御部７は、予めメモリに記憶されている操作中のユーザのパスワードに基づき、パスワードが正しく入力されたか否かを判断する。パスワードの入力間違いがあった場合、制御部７は、ログイン操作に失敗したと判断する。
【００３４】
そして、制御部７は、ログイン操作に成功したか否かの判断結果をログイン成否情報として、計時部４から取得した操作日時情報とともに記憶部３の操作履歴情報に追加する。
【００３５】
ログイン後、ユーザが画像形成装置１の機能を使用するための操作を操作パネル部２で行うと、制御部７は、使用する機能に関する一連の操作においてユーザがデフォルトの設定から変更する操作を行った回数（設定変更回数）をカウントする。
【００３６】
例えば、コピー機能でプリントを行う場合において、コピー部数の設定をデフォルトの「１」から「５」に変更する操作をユーザが行った場合、制御部７は設定変更回数を１とカウントする。カラーモードをデフォルトの「オート」から「白黒」に変更する操作をユーザが行った場合も同様に、制御部７は設定変更回数を１とカウントする。
【００３７】
また、例えば、印刷レイアウトの面付けの設定をデフォルトの「ＯＦＦ」から、原稿の複数ページの画像を印刷用紙の１ページに集約する「Ｎアップ」とし、その際の原稿ページの配列順を「右から左」、面数を「４」と設定する操作をユーザが行った場合、制御部７は設定変更回数を３とカウントする。
【００３８】
そして、制御部７は、設定変更回数情報を、計時部４から取得した操作日時情報とともに記憶部３の操作履歴情報に追加する。
【００３９】
ユーザ操作に応じてコピー機能でプリントが行われた場合、制御部７は、その際のプリント枚数情報を、計時部４から取得した操作日時情報とともに記憶部３の操作履歴情報に追加する。
【００４０】
上記のようにして、ユーザが画像形成装置１を使用すると記憶部３の操作履歴情報が更新される。
【００４１】
次に、画像形成装置１で新たな管理者を設定する際の動作について説明する。
【００４２】
画像形成装置１では、複数人に管理者権限を与えることが可能であり、すでに管理者権限を有する管理者が、新たな管理者を選定することができる。記憶部３に記憶した操作履歴情報は、この新たな管理者の選定に利用される。
【００４３】
管理者が操作パネル部２を操作することにより管理者設定機能を使用する指示信号が入力されると、表示制御部７４は、図３に示すような管理者設定画面３０を表示／入力パネル２１に表示させる。
【００４４】
管理者設定画面３０には、各種の設定ボタンとともに、管理者が新たに管理者権限を付与するユーザを選択するための「管理者権限付与」ボタン３１が表示される。管理者の操作により「管理者権限付与」ボタン３１を選択されると、表示制御部７４は、図４に示すような管理者権限付与画面４０を表示／入力パネル２１に表示させる。
【００４５】
管理者権限付与画面４０には、ユーザごとに管理者権限を付与するか否かを選択するための選択ボックス４１と、ユーザごとの画像形成装置１の操作に対する習熟度を示す評価値（スコア）を表示する評価値表示欄４２と、ユーザ名を表示するユーザ名欄４３と、ユーザごとの管理者としての適性の有無を表示する管理者適性欄４４とが表示される。
【００４６】
このように、ユーザごとにユーザ名と評価値と管理者適性の有無とが対応して表示されるため、管理者は各ユーザの管理者適性を容易に把握することができる。図４の例では、より分かりやすいように、評価値の高いユーザから順に、管理者権限付与画面４０の上から順に表示している。
【００４７】
評価値は、所定期間ごとに算出される。例えば、所定期間を１ヶ月とした場合、例えば２００９年５月１日〜２００９年５月３１日の１ヶ月間の操作履歴情報に基づいてユーザごとの評価値が算出され、この評価値に基づいて管理者適性の有無が判断され、２００９年６月の１ヶ月間においては、２００９年５月の１ヶ月間を対象とした評価値および管理者適性の有無が管理者権限付与画面４０に表示される。
【００４８】
評価値（スコア）の算出方法について説明する。
【００４９】
評価値算出部７１は、所定期間ごとに、操作履歴情報におけるログイン操作、プリント操作、および設定変更操作に関する操作情報を用いて、それぞれに関する評価値を算出し、これらの評価値の合計により総合的な評価値を算出する。
【００５０】
まず、ログイン操作に関する評価値の算出方法について説明する。評価値算出部７１は、操作履歴情報のログイン操作に関する操作情報から、所定期間内における各ユーザのログイン操作の失敗率を算出し、算出した各ユーザの失敗率を用いて、各ユーザのログイン操作に関する評価値Ｓ１を算出する。本実施の形態では、失敗率が低いユーザほど操作に習熟して管理者適性が高いと評価するため、評価値Ｓ１は失敗率の低いユーザほど高い値となるようにする。
【００５１】
例えば、ユーザＡのログイン操作の失敗率Ｆａは、以下の数式（１）により算出される。
【００５２】
Ｆａ＝Ｌ２／Ｌ１  …（１）
ここで、Ｌ１は所定期間内におけるユーザＡのログイン操作の回数、Ｌ２は所定期間内におけるユーザＡのログイン操作の失敗回数である。
【００５３】
ユーザＡのログイン操作に関する評価値Ｓ１は、以下の数式（２）により算出される。
【００５４】
Ｓ１＝Ｍ１×（Ｆｍａｘ−Ｆａ）／（Ｆｍａｘ−Ｆｍｉｎ）  …（２）
ここで、Ｍ１は総合的な評価値に対して評価値Ｓ１に配分されたスコアの満点、Ｆｍａｘ，Ｆｍｉｎはそれぞれ、全ユーザにおける所定期間内の失敗率の最大値、最小値である。
【００５５】
例えば、Ｍ１＝５０，Ｆａ＝０．１，Ｆｍａｘ＝０．５，Ｆｍｉｎ＝０の場合、評価値Ｓ１は、
Ｓ１＝５０×（０．５−０．１）／（０．５−０）＝４０
のように算出される。
【００５６】
次に、プリント枚数に関する評価値の算出方法について説明する。評価値算出部７１は、操作履歴情報のプリント操作に関する操作情報から、所定期間内における各ユーザのプリント枚数に関する評価値Ｓ２を算出する。本実施の形態では、画像形成装置１の使用頻度を示す使用頻度情報としてプリント枚数情報を用い、プリント枚数が多いユーザほど画像形成装置１の使用頻度が高く、操作に習熟して管理者適性が高いと評価するため、評価値Ｓ２はプリント枚数の多いユーザほど高い値となるようにする。
【００５７】
例えば、ユーザＡのプリント枚数に関する評価値Ｓ２は、以下の数式（３）により算出される。
【００５８】
Ｓ２＝Ｍ２×（Ｐａ−Ｐｍｉｎ）／（Ｐｍａｘ−Ｐｍｉｎ）  …（３）
ここで、Ｍ２は総合的な評価値に対して評価値Ｓ２に配分されたスコアの満点、ＰａはユーザＡの所定期間内のプリント枚数、Ｐｍａｘ，Ｐｍｉｎはそれぞれ、全ユーザにおける所定期間内のプリント枚数の最大値、最小値である。
【００５９】
例えば、Ｍ２＝２０，Ｐａ＝５０００，Ｐｍａｘ＝２００００，Ｐｍｉｎ＝１００の場合、評価値Ｓ２は、
Ｓ２＝２０×（５０００−１００）／（２００００−１００）＝４．９２
のように算出される。
【００６０】
次に、設定変更操作に関する評価値の算出方法について説明する。評価値算出部７１は、操作履歴情報の設定変更操作に関する情報から、所定期間内における各ユーザの設定変更操作に関する評価値Ｓ３を算出する。本実施の形態では、デフォルトの設定から変更する操作を多く行うユーザほど操作に習熟して管理者適性が高いと評価するため、評価値Ｓ３は設定変更回数の覆いユーザほど高い値となるようにする。
【００６１】
例えば、ユーザＡの設定変更操作に関する評価値Ｓ３は、以下の数式（４）により算出される。
【００６２】
Ｓ３＝Ｍ３×（Ｈａ−Ｈｍｉｎ）／（Ｈｍａｘ−Ｈｍｉｎ）  …（４）
ここで、Ｍ３は総合的な評価値に対して評価値Ｓ３に配分されたスコアの満点、ＨａはユーザＡの所定期間内の設定変更回数、Ｈｍａｘ，Ｈｍｉｎはそれぞれ、全ユーザにおける所定期間内の設定変更回数の最大値、最小値である。
【００６３】
例えば、Ｍ３＝３０，Ｈａ＝１００，Ｈｍａｘ＝１２０，Ｈｍｉｎ＝５の場合、評価値Ｓ３は、
Ｓ３＝３０×（１００−５）／（１２０−５）＝２９．１７
のように算出される。
【００６４】
総合的な評価値Ｓは、以下の数式（５）により算出される。
【００６５】
Ｓ＝Ｓ１＋Ｓ２＋Ｓ３  …（５）
上述の例では、評価値Ｓの満点はＭ１＋Ｍ２＋Ｍ３＝１００であり、
Ｓ＝４０＋４．９２＋２９．１７＝７４．０９
のように算出される。
【００６６】
前述のように、評価値算出部７１は、所定期間ごとに各ユーザの評価値Ｓを算出する。評価値Ｓが算出されると、管理者適性判断部７２は、各ユーザの評価値Ｓが所定の閾値以上であるか否かにより、各ユーザの管理者適性の有無を判断し、ユーザごとに判断結果を評価値Ｓと対応付けて記憶部３に記憶させる。
【００６７】
このようにして得られた評価値Ｓ、および管理者適性の有無の判断結果に基づいて、図４に示した管理者権限付与画面４０が表示される。管理者は、管理者権限付与画面４０において、選択ボックス４１に触れてチェックマークを付すことにより、管理者権限を付与するユーザを選択することができる。
【００６８】
管理者権限付与画面４０上で管理者権限を付与するユーザが選択され、「確定」ボタン４５が選択されると、管理者設定部７３は、選択されたユーザの識別情報を記憶部３の管理者リストに追加し、新たな管理者として設定する。
【００６９】
なお、管理者設定部７３は、管理者適性が「無」のユーザについては、管理者の操作により管理者権限付与画面４０上で管理者権限の付与対象として選択されたとしても、新たな管理者としては設定不可能としてもよい。これにより、適切でないユーザに管理者権限が与えられることをより確実に予防できる。
【００７０】
ここで、比較のため従来の管理者権限を付与する手順の例を説明する。図３に示した管理者設定画面３０で「ユーザ設定」ボタン３２が選択されると、表示制御部７４は、図５に示すようなユーザ設定画面５０を表示／入力パネル２１に表示させる。ユーザ設定画面５０は通常のユーザ設定を行うための画面であり、ユーザを選択するためのユーザ選択ボタン５１が表示される。
【００７１】
ユーザ設定画面５０においてユーザ選択ボタン５１から１人のユーザが選択され、「変更」ボタン５２が押下されると、表示制御部７４は、選択されたユーザに対応した、図６に示すようなユーザ設定変更画面６０を表示／入力パネル２１に表示させる。
【００７２】
ユーザ設定変更画面６０には、管理者権限の有無を設定するための「なし」ボタン６１および「あり」ボタン６２が表示される。管理者は、「なし」ボタン６１、「あり」ボタン６２を操作することにより、ユーザの管理者権限の有無を変更できる。
【００７３】
しかし、この場合、ユーザ設定変更画面６０はユーザ個別の画面であるため、各ユーザの操作に対する習熟度や、何人のユーザに管理者権限が付与されているか、などの情報を管理者が把握できず、適切でないユーザに管理者権限が与えられるおそれがある。
【００７４】
これに対し、図４に示したような管理者権限付与画面４０を用いると、各ユーザの操作に対する習熟度、管理者適性の有無、管理者権限を有するユーザの人数等を管理者が容易に把握できる。
【００７５】
このように本実施の形態によれば、ユーザごとの操作履歴情報に基づいて各ユーザの画像形成装置１の操作に対する習熟度を示す評価値Ｓを算出し、この評価値Ｓを表示した管理者権限付与画面４０から管理者権限を付与するユーザを管理者に選択させることで、管理者として適切なユーザに管理者権限を付与することができる。
【００７６】
なお、上記実施の形態では、ログイン操作に関する操作情報、プリント操作に関する操作情報、および設定変更操作に関する操作情報の３つの組み合わせにより、ユーザの画像形成装置１の操作に対する習熟度を示す評価値Ｓを算出したが、上記３つのうちのいずれか１つの操作情報、またはいずれか２つの操作情報の組み合わせにより、習熟度を評価するようにしてもよい。また、他の種類の操作の履歴を用いて習熟度を評価するようにしてもよい。
【００７７】
また、管理者権限付与画面４０における評価値表示欄４２および管理者適性欄４４のうちの一方を省略してもよい。もちろん、双方を表示することが、管理者が各ユーザの管理者適性を容易に把握できるようにするためには好ましい。
【００７８】
本発明は、画像形成装置に限らず、ユーザに管理者権限を持たせる機能を有する種々の電子機器に適用できる。
【符号の説明】
【００７９】
１  画像形成装置
２  操作パネル部
３  記憶部
４  計時部
５  画像読取部
６  プリント部
７  制御部
２１  表示／入力パネル
３０  管理者設定画面
４０  管理者権限付与画面
５０  ユーザ設定画面
６０  ユーザ設定変更画面
７１  評価値算出部
７２  管理者適性判断部
７３  管理者設定部
７４  表示制御部
【図１】
2011087132.tif 000003
【図２】
2011087132.tif 000004
【図３】
2011087132.tif 000005
【図４】
2011087132.tif 000006
【図５】
2011087132.tif 000007
【図６】
2011087132.tif 000008